(57)【要約】      （修正有）【課題】生分解性プラスチックを使用すると、コスト高で、耐久性、機能性に劣るという問題があった。【解決手段】無機鉱物粉末とポリエチレンと添加剤を配合したシートを製袋してなる農業用資材包装袋３を用いているので、農業用資材包装袋３により包装されている農業用資材にカビが発生することを防止できる（防カビ性）とともに、農業用資材からの水分が農業用資材包装袋３外に滲み出ることを防止することができる（防水性）。さらに、無機鉱物粉末とポリエチレンと添加剤を配合したシートを用いているので、農業用資材包装袋３を安価に製作することができる。【選択図】図３
2014031212.tif 000002
【特許請求の範囲】
【請求項１】
農業用資材を包装する農業用資材包装袋であって、
無機鉱物粉末とポリエチレンと添加剤を配合したシートを製袋してなる農業用資材包装袋。
【請求項２】
前記シートは、前記無機鉱物粉末を７０重量％〜８０重量％、前記ポリエチレンを２９重量％〜１８重量％、前記添加剤を１重量％〜２重量％を配合したことを特徴とする請求項１記載の農業用資材包装袋。
【請求項３】
穀物、各種の種を包装することを特徴とする請求項１または請求項２記載の農業用資材包装袋
【発明の詳細な説明】
【技術分野】
【０００１】
本発明は、穀物、肥料、土壌改良剤、各種の種などを包装する農業用資材包装袋に関する。
【背景技術】
【０００２】
従来から、穀物、肥料、土壌改良剤、各種の種などを包装する各種の農業用資材包装袋が知られている。この種の農業用資材包装袋として、ポリエチレン１００％の農業用資材包装袋がよく用いられている。このポリエチレン包装袋は、使用後に廃棄して焼却処分する際に二酸化炭素を排出することから、地球温暖化や環境汚染を招くという問題があった。
【０００３】
この問題を解決するために、生分解性プラスチックフィルムの片面または両面にクラフト紙を貼り合わせた積層シートを製袋して生成される農業用生分解性重袋が知られていた。この農業用生分解性重袋は、クラフト紙を用いているので、荷崩れの危険性が少なく、良好な印刷性を有する上、十分な破袋強度を有し、しかも生分解性を有することから、環境汚染をもたらすことがなく、穀物袋や肥料袋として好適に用いられるというものであった
(例えば、特許文献１)。
【０００４】
また、以下に示す合成紙の製造方法というものも知られている。この合成紙の製造方法は、（１）混合、押し出し、および練りという工程により、７０重量％〜８０重量％の無機鉱物粉末、２９重量％〜１８重量％のポリエチレン、および１重量％〜２重量％の添加剤の組み合わせからペレットを形成させること、（２）ペレットを、少なくとも１つの押出機およびサーキュラーダイを有する二次成形型を含み、二次成形型が、その表面上に、少なくとも１つの注入口を有しており、注入口の各々が、二次成形型中に内部通路を規定し、かつ二次成形型のダイと通じている、紙フィルム生産手段に適用すること、(３)ペレットを押出機中で溶融し、メルトを二次成形型の注入口に移送し、そしてメルトを、サーキュラーダイに実質的に対応している中空フィルム管に成形すること、(４)フィルム管を冷却すること、並びに(５)フィルム管が同時二軸延伸し、二次成形型のダイから２００ｍｍ〜７００ｍｍの距離において３〜８倍に膨張されるように、フィルム管を膨張させ、フィルム管の端を引いて、環境に優しい紙を形成することであって、ここで上記紙は７３μｍ〜１１６μｍの範囲の厚みを有するというものであった(例えば、特許文献２)。
【先行技術文献】
【特許文献】
【０００５】
【特許文献１】特開２０００−４３８９４号公報
【０００６】
【特許文献２】特許第４７３９４８７号公報
【発明の概要】
【発明が解決しようとする課題】
【０００７】
上記特許文献１に記載された農業用生分解性重袋は、生分解性を有するので、埋め立てたり投棄されても、微生物が食べて分解してくれるので、ゴミとしてたまることがない（環境汚染をもたらすことがない）という大きな利点を有するものであるが、生分解性プラスチックを使用すると、コスト高で、耐久性、機能性に劣るという問題があるとともに、使用中あるいは保管中に分解が進み、使用不可能になるという問題もあった。また、生分解性プラスチックは、微生物によって分解させるので、埋め立て処理などをする場合は、そのときの微生物の状態、気候などにより結果が異なるので、管理された状況下でないかぎり、分解にどれぐらいかかるのかは分からないという問題もあった。
【０００８】
本発明は、上記問題点に鑑みてなされたもので、安価なコストで、防水性および防カビ性等に優れ、環境汚染をもたらすことがない農業用資材包装袋を提供することを提供することを目的とする。
【課題を解決するための手段】
【０００９】
上記課題を解決し上記目的を達成するために、本発明のうち一態様に係るものは、農業用資材を包装する農業用資材包装袋であって、無機鉱物粉末とポリエチレンと添加剤を配合したシートを製袋してなるものである。  
【００１０】
本発明のうち第２の態様に係るものは、第1の態様に係る農業用資材包装袋であって、  
シートは、無機鉱物粉末を７０重量％〜８０重量％、ポリエチレンを２９重量％〜１８重量％、添加剤を１重量％〜２重量％を配合したことものである。
【００１１】
本発明のうち第３の態様に係るものは、第１または第２の態様に係る農業用資材包装袋
であって、穀物、各種の種を包装することを特徴とするものである。
【発明の効果】
【００１２】
本発明によれば、無機鉱物粉末とポリエチレンと添加剤を配合したシートを製袋してなる農業用資材包装袋を用いているので、農業用資材包装袋により包装されている農業用資材にカビが発生することを防止できる（防カビ性）とともに、農業用資材からの水分が農業用資材包装袋外に滲み出ることを防止することができる（防水性）。また、引張強度が強く、破れにくいので、使用中に農業用資材包装袋が破れるという不具合を生じさせることもない。さらに、無機鉱物粉末とポリエチレンと添加剤を配合したシートを用いているので、農業用資材包装袋を安価に製作することができる。また、無機鉱物粉末とポリエチレンと添加剤を配合したシートを製袋してなる農業用資材包装袋は、使用後燃えるゴミとして焼却可能であり、焼却処分によるＣＯ２の排出量も古紙７０％配合の包装紙からなる包装袋と比較して３０％少なく、かつ、主原材料である無機鉱物粉末（石灰）は、ゴミ焼却時に発生する亜硫酸ガスの中和剤として働き、ダイオキシン発生を抑制する効果を有する。さらに、無機鉱物粉末とポリエチレンと添加剤を配合したシートを製袋してなる農業用資材包装袋を焼却した後の焼却残渣は、石灰肥料、酸性土壌改良物として活用することができる。
【図面の簡単な説明】
【００１３】
【図１】本発明の一実施形態における農業用資材包装袋に用いられるシート（単層）の断面図である。
【図２】同農業用資材包装袋に用いられるシート（３層）の断面図である。
【図３】同農業用資材包装袋の斜視図である。
【図４】図３のＡ−Ａ断面図である。
【発明を実施するための最良の形態】
【００１４】
以下、本発明の一実施形態の農業用資材包装袋について図面を参照にしながら説明する。ここで、図１は本発明の一実施形態における農業用資材包装袋に用いられるシート（単層）の断面図である。
【００１５】
図１に示すように、農業用資材包装袋に用いられるシート１（単層）は、背景技術の特許文献２記載のシートを用いている（図１参照）。すなわち、農業用資材包装袋に用いられるシート１は、主成分としての７０重量％〜８０重量％の無機鉱物粉末、２９重量％〜１８重量％のポリエチレン、および約１重量％〜約２重量％の添加剤を含んでいる組成物を使用する。このシート１の厚みは約３０μｍ〜約 １５０μｍの範囲にわたる。なお、シート１の厚みを約３０μｍ〜約 １５０μｍの範囲と示したが、この範囲に制限されず、他の厚みのものでもよい。それらの無機鉱物粉末は、石から抽出されたもので、炭酸カルシウム、硫酸カルシウム、硫酸バリウム、カオリン、マイカ、酸化亜鉛、ドロマイト、ガラス繊維、中空ガラスミクロビーズ、シリカ、チョーク、タルク、ピグメント、二酸化チタン、二酸化ケイ素、ベントナイト、クレー、珪藻土およびそれらの混合物からなる群より選ばれる少なくとも２種の構成成分を包含しており、焼結されていてもいなくてもよい。ポリエチレンは、高密度ポリエチレン、または高密度ポリエチレンと、中密度ポリエチレン（すなわち、線状低密度ポリエチレン）および低密度ポリエチレンからなる群より選ばれるものの少なくとも１種との組み合わせを包含している。それらの添加剤は、カップリング剤、潤滑剤、分散剤、および静電防止剤を包含している。
【００１６】
カップリング剤は、例えばβ−(３，４−エポキシシクロヘキシル) エチルトリメトキシシランのようなシランカップリング剤である。潤滑剤は、Ｎ-オレイルパルミトアミドである。静電防止剤は、例えばＮ，Ｎ−ビス
（２−ヒドロキシエチル） ココアミン（Ｎ，Ｎ−ｂｉｓ（２−ｈｙｄｒｏｘｙｅｔｈｙｌ）ｃｏｃｏａｍｉｎｅ）またはＮ，Ｎ−ビス  （２−ヒドロキシエチル) ステアリルアミンである。なお、農業用資材包装袋に用いられるシート１の製造方法については、背景技術の特許文献２記載の製造方法を用いているので、説明は省略する。
【００１７】
また、農業用資材包装袋に用いられるシートとして、背景技術の特許文献２記載の３層のシート２を用いてもよい（図２参照）。ここで、図２は本発明の一実施形態における農業用資材包装袋に用いられるシート（３層）の断面図である。この３層のシート２は、Ａ層、Ｂ層、およびＣ層から構成されている。Ａ層の構成成分は、７０重量％〜８０重量％の無機鉱物粉末、２９重量％〜１８重量％のポリエチレン、および１重量％〜２重量％の添加剤を包含している。また、Ｂ層の構成成分は、約５６重量％〜８０重量％の無機鉱物粉末、約４３重量％〜１８重量％のポリエチレン、および約１重量％〜２重量％の添加剤を包含している。そして、Ｃ層の構成成分は、約５６重量％〜８０重量％の無機鉱物粉末、約４３重量％〜１８重量％のポリエチレン、および約１重量％〜２重量％の添加剤を包含している。このシート２の厚みは約１３０μｍ〜約 １６０μｍの範囲にわたる。なお、シート２の厚みを約１３０μｍ〜約 １６０μｍの範囲と示したが、この範囲に制限されず、他の厚みのものでもよい。また、Ａ層、Ｂ層、およびＣ層の相対的な厚みは、必要に応じて、例えば１０％〜２５％のＡ層、８０％〜５０％のＢ層、および１０％〜２５％のＣ層のように調整することもできる。なお、この農業用資材包装袋に用いられるシート２の製造方法についても、背景技術の特許文献２記載の製造方法を用いているので、説明は省略する。ここで、シート１およびシート２の構成成分である無機鉱物粉末、ポリエチレン、および添加剤は、上記比率で構成するものに限定されず、無機鉱物粉末、ポリエチレン、および添加剤を他の比率で構成させてもよい。
【００１８】
次に、本実施形態における農業用資材包装袋３について図３と図４を参照にして説明する。ここで、図３は本発明の一実施形態における農業用資材包装袋の斜視図であり、図４は図３のＡ−Ａ断面図である。
【００１９】
図３に示す農業用資材包装袋３はシート１を用いて製袋されている。すなわち、無機鉱物粉末を７０重量％〜８０重量％、ポリエチレンを２９重量％〜１８重量％、添加剤を１重量％〜２重量％を配合したシート１を用いて製袋されている。なお、シート１を用いて農業用資材包装袋３を製袋するものに限定されず、上記シート１を中間部に挟んだシート２を用いて農業用資材包装袋３を製袋してもよく、また、背景技術の特許文献２の図５記載のように、シート１（Ｂ層）と、約５６重量％〜８０重量％の無機鉱物粉末、約４３重量％〜１８重量％のポリエチレン、および約１重量％〜２重量％の添加剤を包含しているＡ層を組み合わせて２層にしたシート（図示略）を用いて農業用資材包装袋３を製袋してもよい。
【００２０】
農業用資材包装袋３の側面端および底面端はシート１を折り曲げて結合させている。なお、その結合の方法は、熱、高周波、超音波を利用した粘着の他、溶着、接着などでもよい。図４に示すように、農業用資材包装袋３の中には、穀物、種などの農業用資材４が収納されている。ここで、農業用資材包装袋３の上面については、内部に農業用資材を入れた後に結合させる。この場合の結合方法は、側面端および底面端の結合方法と同様であるので、説明は省略する。
【００２１】
以上説明したように、無機鉱物粉末（石灰石（炭酸カルシウム））を配合した袋を一般的な包装でなく農業用資材包装袋３として用いているので、農業用資材包装袋３により包装されている農業用資材４にカビが発生することを防止できる。すなわち、農業用資材包装袋３は主成分が炭酸カルシウム（アルカリ性）であるので、カビの栄養剤となる物質を含まず、農業用資材包装袋３により包装されている農業用資材４をカビの発生から保護することができる。また、無機鉱物粉末（石灰石（炭酸カルシウム））を配合した袋を農業用資材包装袋３として用いているので、農業用資材４からの水分が農業用資材包装袋３外に滲み出ることを防止することができる（防水性）。このように、無機鉱物粉末とポリエチレンと添加剤を配合したシート１を製袋してなる農業用資材包装３は、防水性および防カビ性を有するので、農業用資材包装袋３により包装されている農業用資材４を現状を維持しながら農業用資材包装袋３の中で長時間保存することができる。
【００２２】
また、無機鉱物粉末とポリエチレンと添加剤を配合したシート１を製袋してなる農業用資材包装袋３は、クラフト紙からなる紙製包装袋と比較して、引張強度が強く、破れにくいので、使用中に農業用資材包装袋３が破れるという不具合を生じさせることもない。
【００２３】
また、無機鉱物粉末とポリエチレンと添加剤を配合したシート１を製袋してなる農業用資材包装袋３は、使用後燃えるゴミとして焼却可能であり、焼却処分によるＣＯ２の排出量（ｔ−ＣＯ２／ｔ）も古紙７０％配合の用紙と比較して約３０％以上も少ない。さらに、農業用資材包装袋３の主原材料である無機鉱物粉末（石灰）は、ゴミ焼却時に発生する亜硫酸ガスの中和剤として働き、ダイオキシン発生を抑制する効果を有する。このように、従来の包装袋と比較して、環境被害をもたらすことはない。さらに、無機鉱物粉末とポリエチレンと添加剤を配合したシート１を製袋してなる農業用資材包装袋３を焼却した後の焼却残渣は、石灰肥料、酸性土壌改良物として活用することができる。
【００２４】
今回開示された実施の形態は、すべての点で例示であって制限的なものではないと考えられるべきである。本発明の範囲は、上記した説明ではなくて特許請求の範囲によって示され、特許請求の範囲と均等の意味および範囲内でのすべての変更が含まれることが意図される。
【００２５】
以下、本発明の変形例について説明する。
（１）  本実施形態では、農業用資材を包装する農業用資材包装袋について説明したが、これに限らず、ドックフードやキャッツフード等の動物用フードを包装する動物用フード包装袋としても用いてもよい。この場合、「無機鉱物粉末とポリエチレンと添加剤を配合したシートを製袋してなる動物用フード包装袋。」の発明となる。なお、動物用フード包装袋として使用した場合の内容については、本実施形態の農業用資材包装袋で説明した内容と同様であるので、説明は省略する。
【符号の説明】
【００２６】
１  シート
２  シート
３  農業用資材包装袋
４  農業用資材
【図１】
2014031212.tif 000003
【図２】
2014031212.tif 000004
【図３】
2014031212.tif 000005
【図４】
2014031212.tif 000006